(57)【要約】【課題】遊技機が前方にずれないようにしながら遊技機を遊技機島に設置できる遊技機の取付け装置を提供する。【解決手段】本開示の一態様は、遊技機を遊技機島１０１に設置する遊技機の取付け装置において、遊技機島１０１に固定されるベース１１と、遊技機の枠部２０１に巻き付けられるベルト１６と、ベルト１６の一端部１６ａを保持可能なピン１５と、ベルト１６の他端部１６ｂを保持することで、枠部２０１を遊技機の後方側に引き付け可能に構成されるラチェット機構１７と、を有する。【選択図】図１
2019058635.tif 000002
【特許請求の範囲】
【請求項１】
遊技機を遊技機島に設置する遊技機の取付け装置において、
前記遊技機島に固定される第１島側固定部と、
前記遊技機の枠部に巻き付けられる帯状部材と、
前記帯状部材の一方の端部を保持可能な保持部と、
前記帯状部材の他方の端部を保持することで、前記枠部を前記遊技機の後方側に引き付け可能に構成される帯状部材保持部と、を有すること、
を特徴とする遊技機の取付け装置。
【請求項２】
請求項１の遊技機の取付け装置において、
前記第１島側固定部と嵌合する嵌合部と、
前記枠部の背部に接する当接部材と、
前記嵌合部と前記当接部材とが取り付けられる板状部材と、
を有すること、
を特徴とする遊技機の取付け装置。
【請求項３】
請求項２の遊技機の取付け装置において、
前記保持部が前記当接部材に設けられていること、
を特徴とする遊技機の取付け装置。
【請求項４】
請求項１乃至３のいずれか１つの遊技機の取付け装置において、
前記第１島側固定部は、前記遊技機島に固定される固定部材と、前記固定部材に取り付けられ前記固定部材に対して前記遊技機の左右方向に相対的に移動可能な可動部材と、を備えており、
前記可動部材は、前記帯状部材と一体に移動すること、
を特徴とする遊技機の取付け装置。
【請求項５】
請求項１乃至４のいずれか１つの遊技機の取付け装置において、
前記枠部の傾斜を調整する枠部傾斜調整機構を有すること、
を特徴とする遊技機の取付け装置。
【請求項６】
請求項１乃至５のいずれか１つの遊技機の取付け装置において、
前記遊技機島に固定される第２島側固定部と、
前記枠部を当該枠部の上下方向に押圧する上下方向押圧部材と、
前記枠部を当該枠部の前後方向に押圧する前後方向押圧部材と、
を備える補助固定具を有すること、
を特徴とする遊技機の取付け装置。
【発明の詳細な説明】
【技術分野】
【０００１】
本開示は、遊技機を遊技機島に設置する遊技機の取付け装置に関する。
【背景技術】
【０００２】
特許文献１には、一般的な遊技機を遊技機島に設置する方法として、今現在においても遊技機の木製の枠部を遊技機島に設けられている木製の取付部材に釘を用いて固定する手法を採用しているというパチンコ業界における背景技術が開示されている。また、特許文献２には、遊技機の枠部を上方から押圧して遊技機を遊技機島に取り付ける装置が開示されている。また、特許文献３には、遊技機の枠部の上部を上下方向から挟持して遊技機を遊技機島に取り付ける装置が開示されている。さらに、特許文献４には、遊技機枠の上部に操作レバーを設けた遊技機が開示されている。
【先行技術文献】
【特許文献】
【０００３】
【特許文献１】特許第３６１４２０３号公報
【特許文献２】特許第５３６８７１０号公報
【特許文献３】特開２０１６−５２５０１号公報
【特許文献４】特開２０１６−１５８９９７号公報
【発明の概要】
【発明が解決しようとする課題】
【０００４】
昨今の遊技機は、前枠が大型化しているため、前方方向に荷重が傾いているという事情がある。更に、特許文献４に開示されるような遊技機枠の上部に操作レバーを設けた遊技機が広く知られており、遊技者が勢いを込めて、この操作レバーを引くという事態が想定される。このような場合に、遊技機自体の荷重に遊技者の操作力が加わって、遊技機が前側に強い力で引っ張られるので、特許文献１のように釘により遊技機の木製の枠部を遊技機島に固定する手法では、遊技機側の木製の枠部又は遊技機島側に設けられた木製の取付部材の釘穴が変形して広がってしまうことで、遊技機が前方にずれてしまうおそれがある。また、特許文献２のように遊技機の枠部を上方から押圧する場合や、特許文献３のように遊技機の枠部の上部を上下方向から挟持する場合は、遊技機を上下方向のみ押さえているに過ぎず、遊技機は前後方向については固定されていない。そのため、前記のように遊技機が前側に強い力で引っ張られると、遊技機が前方にずれてしまうおそれがある。
【０００５】
そこで、本開示は上記した問題点を解決するためになされたものであり、遊技機が前方にずれないようにしながら遊技機を遊技機島に設置できる遊技機の取付け装置を提供することを目的とする。
【課題を解決するための手段】
【０００６】
上記課題を解決するためになされた本開示の一形態は、遊技機を遊技機島に設置する遊技機の取付け装置において、前記遊技機島に固定される第１島側固定部と、前記遊技機の枠部に巻き付けられる帯状部材と、前記帯状部材の一方の端部を保持可能な保持部と、前記帯状部材の他方の端部を保持することで、前記枠部を前記遊技機の後方側に引き付け可能に構成される帯状部材保持部と、を有すること、を特徴とする。
【発明の効果】
【０００７】
本開示の遊技機の取付け装置によれば、遊技機が前方にずれないようにしながら遊技機を遊技機島に設置できる。
【図面の簡単な説明】
【０００８】
【図１】第１実施形態の遊技機の取付け装置を使用して遊技機の枠部を遊技機島に設置した状態を示す斜視図（不図示の遊技機の後方斜めから見た図）である。
【図２】第１実施形態の上クランプ周辺の斜視図である。
【図３】第１実施形態の上クランプの側面図である。
【図４】第１実施形態の上クランプの側面図（図３と反対側の側面の図）である。
【図５】第１実施形態の上クランプの断面図である。
【図６】第１実施形態の上クランプの分解斜視図である。
【図７】第１，２実施形態の下クランプ周辺の斜視図である。
【図８】第１，２実施形態の下クランプの側面図である。
【図９】第２実施形態の上クランプ周辺の斜視図である。
【図１０】第２実施形態の上クランプの側面図である。
【図１１】第２実施形態の上クランプを構成する固定ベースと可動ベースの分解斜視図である。
【発明を実施するための形態】
【０００９】
本開示に係る実施形態である遊技機の取付け装置について、図面を参照しながら詳細に説明する。なお、以下の説明において、「上下方向」とは遊技機島に設置される遊技機の上下方向であり、「前後方向」とは遊技機島に設置される遊技機の前後方向である。
【００１０】
〔第１実施形態〕
まず、第１実施形態について説明する。本実施形態では、図１に示すように、上クランプ１と下クランプ２（補助固定具）とを有する遊技機の取付け装置を使用して、遊技機島１０１（以下、適宜、単に「島１０１」ともいう。）に遊技機の枠部２０１（以下、適宜、単に「枠部２０１」ともいう。）が取り付けられている。
【００１１】
島１０１は、木製のテーブル１１１と水平材１１２を備えている。そして、テーブル１１１の上にエラストマー製（ゴム製）の敷きシート１２１を介して枠部２０１が載置された状態で、テーブル１１１と水平材１１２との間に枠部２０１が嵌め込まれている。このようにテーブル１１１の上に敷きシート１２１を敷くことにより、島１０１と枠部２０１の間のクリアランスを小さくしながらテーブル１１１と枠部２０１の下部２１２（下方向の部分）との間にて弾性力と摩擦力を発生させることができる。そのため、テーブル１１１の上に安定して枠部２０１が載置される。なお、一般的な遊技機島は、強度を維持するために主に金属性の部品を用いて形成されるものであるが、その一部を木製にて構成することにより、遊技機の枠部と島設備の木製部材とを釘を用いて固定することが可能となっている。本実施形態の島１０１においても、テーブル１１１及び水平材１１２は木製となっているが、その一部に金属等の他の素材が用いられていてもよい。
【００１２】
枠部２０１は、４枚の板状部材を組み合わせて矩形に形成されているものであり、「外枠」とも称されることがある。そして、枠部２０１の内側の空間には、不図示の遊技盤を取付け可能な遊技機枠（内枠）を取付けることが可能であり、更に、枠部２０１（外枠）及び内枠の前面側に前枠（前扉部）を取付けることで、遊技機を構成する。なお、外枠には、内枠及び前枠に設けられた支軸を支持可能な機構が設けられており、内枠及び前枠は、外枠に対して回動自在になっている。なお、枠部２０１への遊技機の固定方法は、周知技術を用いて行われる。なお、枠部２０１は、木製であるが、その一部に金属等の他の素材が用いられていてもよい。
【００１３】
図１に示す例では、上クランプ１と下クランプ２は、各々２つ使用されている。そして、上クランプ１は枠部２０１の上部２１１（上方向の部分）を島１０１の水平材１１２に取り付けており、下クランプ２は枠部２０１の下部２１２を島１０１のテーブル１１１に取り付けている。なお、図１に示す例においては、上クランプ１として左右対称な構造のものが２つ使用されているが、いずれも構成部品は共通している。
【００１４】
次に、上クランプ１について説明する。図２〜図６に示すように、上クランプ１は、ベース１１（第１島側固定部）と、スライダ１２（嵌合部）と、プレート１３（板状部材）と、ストッパ１４（当接部材）と、ピン１５（保持部）と、ベルト１６（帯状部材）と、ラチェット機構１７（帯状部材保持部）と、ナットベース２１と、調整ネジ２２などを有する。
【００１５】
図６に示すように、ベース１１は、本体部３１と第１ベース鍔部３２と第２ベース鍔部３３とガイド孔３４などを備えている。本体部３１は、前後方向及び下方向に開口するようにしてコの字状断面に形成されている。第１ベース鍔部３２と第２ベース鍔部３３は、それぞれ本体部３１の両方の側面３１ａの下側端縁から外側へ水平方向に折り曲げて形成されている。そして、ベース１１は、この第１ベース鍔部３２に設けられた開口部３２ａと第２ベース鍔部３３に設けられた開口部３３ａに挿入された締結具（例えばボルトやネジ）により、図２〜図５に示すように島１０１の水平材１１２に固定されている。また、ガイド孔３４は、本体部３１の側面３１ａに形成されている。また、ガイド孔３４の上部には、遊技機の傾斜調整時に使用するケガキ線からなる目盛り５７が設けられている。
【００１６】
図３〜図５に示すように、スライダ１２は、ベース１１の内側にてベース１１と嵌合している。このスライダ１２は、図６に示すように、本体部３５と一対のスライダ鍔部３６などを備えている。本体部３５は、前後方向及び下方向に開口するようにしてコの字状断面に形成されている。一対のスライダ鍔部３６は、それぞれ本体部３５の両方の側面３５ａの後側端縁から外側へ水平方向に折り曲げて形成されている。そして、スライダ１２は、このスライダ鍔部３６に設けられた開口部３６ａに挿入された締結具により、図３〜図５に示すようにプレート１３に取り付けられている。また、本体部３５の両方の側面３５ａには、ガイド２３が締結具により取り付けられている。ガイド２３は、ガイド孔３４の内側に設けられている。このガイド２３は、遊技機の傾斜調整時において、スライダ１２をベース１１に対して相対的に移動させる際にスライダ１２を案内するとともに、目盛り５７を使ってスライダ１２の移動量を確認するために使用される。
【００１７】
図３〜図５に示すように、プレート１３の一方の面１３ａには、上方部にスライダ１２が取り付けられ下方部にストッパ１４が取り付けられており、スライダ１２とストッパ１４が上下方向に離間して取り付けられている。なお、このスライダ１２とストッパ１４の離間距離を利用して、スライダ１２とストッパ１４の間にて島１０１の水平材１１２が挟み込まれるようにして配置される。また、プレート１３の他方の面１３ｂには、ラチェット機構１７が取り付けられている。また、図６に示すように、プレート１３の貫通孔１３ｃには、調整ネジ２２がカラー２４（中空の筒状部品）を介して挿入されている。また、プレート１３の下方には中央に切り欠き部１３ｄが設けられておりその切り欠き部１３ｄの左右に延設された部位に、ストッパ１４をプレート１３に固着する際に使用する開口部１３ｅがそれぞれ設けられている。
【００１８】
図６に示すように、ストッパ１４は、本体部３７と一対のストッパ鍔部３８などを備えている。本体部３７は、上下方向及び後方向に開口するようにしてコの字状断面に形成されている。一対のストッパ鍔部３８は、それぞれ本体部３７の両方の側面３７ａの後側端縁から外側へ水平方向に折り曲げて形成されている。このようなストッパ１４は、この一対のストッパ鍔部３８にて、このストッパ鍔部３８に設けられた開口部３８ａに挿入された締結具により、図３〜図５に示すようにプレート１３の一方の面１３ａ側に取り付けられている。
【００１９】
そして、図３〜図５に示すように、ストッパ１４は、その先端面に設けられたストッパゴム４０にて、枠部２０１の上部２１１の背部２２１に接している。これにより、ストッパ１４と枠部２０１との間にて弾性を確保しながら摩擦力を発生させて、ストッパ１４により枠部２０１を強く支持することができる。ストッパゴム４０の素材としては、適度な弾性力と摩擦力を有するものであればよいが、ゴムやエラストマーなどの採用が好適である。なお、ストッパ１４は、その先端面にて、ストッパゴム４０が設けられる代わりに凹凸形状の加工が施されていてもよい。また、ストッパゴム４０に凹凸形状の加工が施されていてもよい。
【００２０】
ピン１５は、図６に示すように円柱状に形成されており、図３〜図５に示すようにストッパ１４の内部に設けられている。詳しくは、ピン１５は、ストッパ１４における本体部３７の内側にて、本体部３７の両方の側面３７ａを貫通して設けられている。そして、ピン１５の一端部１５ａはスナップピン４１を用いてストッパ１４に止められ、ピン１５の他端部１５ｂは止め輪４２を用いてストッパ１４に止められている。このように、ピン１５の一端部１５ａはスナップピン４１を用いてストッパ１４に止められているので、スナップピン４１を脱着するにより、容易にストッパ１４にピン１５を脱着できる。
【００２１】
このようなピン１５は、ベルト１６の一端部１６ａを保持している。詳しくは、図５に示すように、ベルト１６の一端部１６ａには、ベルト１６を折り返して作られたループ（輪形状部）が形成され、このループの内部にピン１５が挿入されている。なお、ベルト１６の他端部１６ｂにも、ベルト１６を折り返して作られたループ（輪形状部）が形成され、このループの内部にＴ字部材４９が挿入されている（図３参照）。
【００２２】
図３〜図５に示すように、ベルト１６は、枠部２０１の上部２１１に巻き付けられている。このベルト１６は、島１０１と枠部２０１の間の僅かな隙間に入ることができるように薄く形成され、枠部２０１の外周を覆うことができる程度に柔軟性と耐久性を有していればよく、布や樹脂や金属などで形成されている。ここでは、ベルト１６として、例えばアラミド繊維の不織布を使用する。そして、前記のように、ベルト１６の一端部１６ａはピン１５に保持されており、ベルト１６の他端部１６ｂはラチェット機構１７に保持されている。なお、このアラミド繊維は、耐久性に優れ防護衣料などにも採用されるものである。本実施形態のベルトは厚さ約０．２ｍｍ、横幅約１．８ｍｍとなるが、その耐荷重性能は１本で２００ｋｇを支えることができ、たとえカッターやナイフ等の刃物で切断しようとしても容易に切断できるものではない。なお、現在市場に流通している遊技機において最も重量があるものは６０ｋｇと言われているが、本実施形態のベルト１６であれば十分に余裕をもった強度で固定することが可能である。
【００２３】
図２〜図５に示すように、ラチェット機構１７は、プレート取付け部４３とハンドル部４４と軸部４５などを備えている。プレート取付け部４３は、プレート１３の他方の面１３ｂに締結具により取り付けられている。ハンドル部４４は、軸部４５を介してプレート取付け部４３に取り付けられており、軸部４５を中心にしてプレート取付け部４３に対して相対的に回転可能である。
【００２４】
このようなラチェット機構１７は、ベルト１６の他端部１６ｂを保持することで、枠部２０１を遊技機の後方側に引き付け可能に構成されている。具体的には、ラチェット機構１７は、ハンドル部４４をプレート取付け部４３に対して相対的に回転させると、軸部４５に保持されるベルト１６が軸部４５に巻かれるので、枠部２０１を遊技機の後方側に引き付けることができる。なお、プレート１３に取り付けられるラチェット機構１７は、図５に示すように、ラチェット機構１７の軸部４５が、ストッパ１４の内部に設けられているピン１５（保持部）よりも上方に位置するように配置されている。また、枠部２０１に巻き付けたベルト１６は、プレート１３に設けられた切り欠き部１３ｄを通り、ラチェット機構１７の軸部４５に巻き取られる。
【００２５】
本実施形態では、Ｔ字部材４９を使用して、軸部４５にベルト１６の他端部１６ｂを取り付けている。具体的には、図３に示すようにベルト１６の他端部１６ｂに形成されたループの内部にＴ字部材４９を挿入し、図５に示すようにＴ字部材４９を軸部４５の穴の内部に取り付けることにより、軸部４５にベルト１６の他端部１６ｂが取り付けられている。
【００２６】
図６に示すように、ナットベース２１は、Ｌ字形状部５１と、ナット部５２を備えている。そして、Ｌ字形状部５１は、その底面部５１ａにて、締結具によりベース１１の第１ベース鍔部３２に取り付けられている（図２や図３参照）。また、ナット部５２は、その内側にネジ部を備えており、Ｌ字形状部５１の立設部５１ｂに溶接されている。
【００２７】
図６に示すように、調整ネジ２２は、ネジ部５３と操作部５４と基端部５５を備えている。ネジ部５３は、カラー２４を介してプレート１３の貫通孔１３ｃに挿入されており、さらに、ナットベース２１のＬ字形状部５１の立設部５１ｂを貫通して、ナットベース２１のナット部５２に螺合している（図２や図３参照）。基端部５５は、その外形が円錐状に形成されている。また、調整ネジ２２の操作部５４とプレート１３との間には、バネ５６が配置されている。
【００２８】
そして、このような調整ネジ２２を、操作部５４に把持させた工具（例えばラチェットレンチ、図２参照）を用いて回転させることにより、プレート１３を調整ネジ２２の軸方向に移動させることができる。そして、これにより、プレート１３に取り付けられたスライダ１２とストッパ１４を調整ネジ２２の軸方向に移動させることができるので、枠部２０１を島１０１の水平材１１２に対して相対的に前後方向に移動させることができる。
【００２９】
また、工具を操作部５４に把持させる際には、工具は基端部５５の先細り形状にて案内されるので、工具の取り付けが容易になる。また、ナットベース２１と調整ネジ２２との間にバネ５６の付勢力が加わっているので、調整ネジ２２のネジ部５３とナットベース２１のナット部５２との間の螺合状態が安定する。そのため、調整ネジ２２を回転させてナットベース２１に対して調整ネジ２２を移動させることにより、プレート１３とストッパ１４を介して枠部２０１を安定して前後方向に移動させることができる。
【００３０】
次に、下クランプ２について説明する。図７と図８に示すように、下クランプ２は、枠押さえベース６１（第２島側固定部）と、ブラインドナット６２と、枠押さえボルト６３（上下方向押圧部材）と、下部ストッパボルト６４（前後方向押圧部材）などを有する。
【００３１】
枠押さえベース６１は、本体部７１と枠押さえベース鍔部７２を備えている。そして、枠押さえベース６１は、枠押さえベース鍔部７２に設けられた開口部７２ａを介して、島１０１のテーブル１１１に締結具により固定されている。枠押さえベース６１は、側面方向から見たときにＬの字形状に形成されている。枠押さえボルト６３と下部ストッパボルト６４は、それぞれブラインドナット６２を介して枠押さえベース６１の本体部７１に取り付けられている。
【００３２】
以上のような構成の上クランプ１と下クランプ２を有する遊技機の取付け装置を用いて、枠部２０１を島１０１に取り付ける際には、まず、枠部２０１を島１０１のテーブル１１１と水平材１１２との間に配置する。このとき、枠部２０１の下部２１２と島１０１のテーブル１１１との間には、敷きシート１２１を配置しておく。
【００３３】
そして、上クランプ１と下クランプ２により、島１０１に枠部２０１を取り付ける。具体的には、上クランプ１について、ベース１１（スライダ１２）とストッパ１４との間の離間部に島１０１の水平材１１２を挿入しながら、ストッパ１４に設けられたストッパゴム４０を枠部２０１の上部２１１の背部２２１に当てる。次に、ベース１１を島１０１の水平材１１２に固定し、ベルト１６を枠部２０１に巻き付けてベルト１６の他端部１６ｂをラチェット機構１７に保持させる。次に、ラチェット機構１７を操作して、枠部２０１に巻き付けたベルト１６を締め上げて、枠部２０１を後方側に引き付ける。そして、このようにして、上クランプ１により島１０１に枠部２０１を取り付ける。
【００３４】
また、下クランプ２について、枠押さえベース６１を島１０１のテーブル１１１に固定し、枠押さえボルト６３と下部ストッパボルト６４により枠部２０１の下部２１２の背部２２２を押圧する。そして、このようにして、下クランプ２により島１０１に枠部２０１を取り付ける。
【００３５】
なお、上クランプ１により島１０１に枠部２０１を取り付ける操作と、下クランプ２により島１０１に枠部２０１を取り付ける操作は、同時であっても、どちらが先であってもよい。
【００３６】
また、本実施形態では、上クランプ１は、枠部２０１の傾斜を調整する枠部傾斜調整機構を有しており、枠部２０１の前後方向の位置を調整して枠部２０１の傾斜を調整することにより、遊技機の傾斜を調整できる。
【００３７】
具体的には、図３と図４に示す調整ネジ２２を回してベース１１に対して相対的にスライダ１２を前方向に移動させると、スライダ１２と一体のストッパ１４が前方向に移動するので、ストッパ１４が接する枠部２０１はストッパ１４に押されて前方向に移動する。そのため、枠部２０１の上部２１１は前方向に移動する。一方、調整ネジ２２を回してベース１１に対して相対的にスライダ１２を後方向に移動させると、スライダ１２と一体のストッパ１４が後方向に移動するので、枠部２０１はベルト１６に引っ張られて後方向に移動する。そのため、枠部２０１の上部２１１は後方向に移動する。このようにして、枠部２０１の傾斜を調整する枠部傾斜調整機構を有することにより、遊技機の傾斜を調整できる。また、この枠部傾斜調整機構は、枠部２０１の上部２１１の奥行を考慮した位置調整にも役立てることができる。例えばＡ社の枠部２０１の上部２１１は奥行が４０ｍｍであるが、Ｂ社の枠部２０１の上部２１１の奥行は７０ｍｍというように、遊技機メーカーによって奥行が異なる。そのような場合であっても、前後方向の位置を調整することで適切な設置位置に遊技機を固定することができる。また、そもそも遊技機を取付ける島１０１自体が水平であるとは限らない。そこで遊技機の設置後であっても、遊技機の前枠と内枠を開放状態とし、外枠の内側からこの枠部傾斜調整機能を操作することで、遊技機の前後方向の設置位置を微調整することで遊技機を適切な設置角度に調整することができるという本機能は作業性の向上という観点で大きなメリットを有する。
【００３８】
また、本実施形態では、下クランプ２は、枠部２０１の傾斜を調整する枠部傾斜調整機構を有しており、枠部２０１の前後方向の位置を調整して枠部２０１の傾斜を調整することにより、遊技機の傾斜を調整できる。
【００３９】
具体的には、図７と図８に示す枠部２０１の下部２１２を上下方向に押圧する枠押さえボルト６３を緩めることで枠部２０１を前後方向に移動可能な状態とし、下部ストッパボルト６４を回転させることで枠部２０１の前後の位置を調整する。
【００４０】
以上のように本実施形態の上クランプ１は、島１０１の水平材１１２に固定されるベース１１と、枠部２０１に巻き付けられるベルト１６と、ベルト１６の一端部１６ａを保持可能なピン１５と、ベルト１６の他端部１６ｂを保持することで枠部２０１を遊技機の後方側に引き付け可能に構成されるラチェット機構１７と、を有する。
【００４１】
このようにして、本実施形態では、ラチェット機構１７によりベルト１６を締め上げて枠部２０１を遊技機の後方側に引き付けた状態でベルト１６の他端部１６ｂを保持することができる。そのため、枠部２０１を遊技機の後方側に引き付けた状態で島１０１の水平材１１２に取り付けることができるので、遊技機が前方にずれないようにしながら遊技機を島１０１に設置できる。また、遊技機の固定に際して釘を用いることがないため、遊技機側の木製部に釘穴を開ける必要がないため、当該木製部の消耗が生じることがない。
【００４２】
また、本実施形態では、島１０１のテーブル１１１と枠部２０１の下部２１２の間に敷きシート１２１を挟んで上下方向について島１０１と枠部２０１の間のクリアランスを小さくしながら、上クランプ１により枠部２０１を島１０１に取り付けているので、安定して遊技機を島１０１に設置できる。
【００４３】
また、ベルト１６を枠部２０１に巻き付けることにより枠部２０１を島１０１に取り付けるので、枠部２０１に木製部を備えていなくても、すなわち、枠部２０１の材質に関わらず、枠部２０１を島１０１に取り付けることができる。また、枠部２０１の形状や大きさに関わらず、枠部２０１を遊技機島１０１に取り付けることができる。
【００４４】
また、枠部２０１に巻き付けたベルト１６の締め上げ力により枠部２０１を後方側に引き付けているので、特許文献２の装置のように枠部２０１の上方からの押圧力で枠部２０１を抑えつける構造とはなっていない。そのため、枠部２０１からの反力により島１０１の水平材１１２又は島１０１の他の部材に歪みが生じさせることがないという大きなメリットを有している。
【００４５】
また、本実施形態の上クランプ１は、ベース１１と嵌合するスライダ１２と、枠部２０１の上部２１１の背部２２１に接するストッパ１４と、スライダ１２とストッパ１４とが取り付けられるプレート１３と、を有する。
【００４６】
このように、ストッパ１４が枠部２０１の背部２２１に接しているので、ベルト１６を巻き付けた枠部２０１をストッパ１４により支持することができる。すなわち、枠部２０１の上部２１１の前面をベルト１６により後方向へ引き付ける一方で、ストッパ１４が枠部２０１の上部２１１の背部２２１を押圧するので、枠部２０１の上部２１１は前後から押圧される。そのため、枠部２０１を島１０１の水平材１１２に強固に取り付けて、遊技機を島１０１に強固に設置できる。また、ストッパ１４の先端に設けられたストッパゴム４０の摩擦力により、遊技機の設置の際のブレを抑制することができるため、ベルト１６の締め上げ時の作業性が向上する。
【００４７】
また、本実施形態の上クランプ１は、ピン１５がストッパ１４に設けられている。
【００４８】
これにより、ラチェット機構１７によりベルト１６を締め上げたときに、ベルト１６の締め上げ力を枠部２０１に対して後方に作用させることができる。そのため、より効果的に、枠部２０１を後方側に引き付けた状態で島１０１の水平材１１２に取り付けることができる。したがって、より効果的に、遊技機が前方にずれないようにして遊技機を島１０１に設置できる。
【００４９】
また、本実施形態の上クランプ１は、枠部２０１の傾斜を調整する枠部傾斜調整機構を有する。これにより、遊技機を島１０１に設置する時または設置した後に、枠部２０１の傾斜を調整することにより、遊技機の傾斜を調整できる。ここで、枠部傾斜調整機構は、スライダ１２とプレート１３とストッパ１４とピン１５とベルト１６とナットベース２１と調整ネジ２２から構成されている。
【００５０】
また、本実施形態では、ベース１１にスライダ１２を嵌合させているので、ベース１１に対してスライダ１２を相対的に移動させることができる。そのため、ベース１１に対してスライダ１２を相対的に移動させることにより、プレート１３とストッパ１４とを介して枠部２０１を前後方向に移動させて、枠部２０１の傾斜を調整して遊技機の傾斜を調整できる。また、前述の通り、本実施形態においては、ベルト１６の締め上げ力を用いて遊技機を島１０１に固定している。そのため、枠部２０１からの反力により島１０１の水平材１１２又は島１０１の他の部材に歪みが生じさせることがない、そのため適切な設置位置及び適切な角度にて島１０１に遊技機を設置することができる。
【００５１】
また、本実施形態の遊技機の取付け装置は、上クランプ１とともに、下クランプ２を有する。そして、この下クランプ２は、島１０１のテーブル１１１に固定される枠押さえベース６１と、枠部２０１を上下方向に押圧する枠押さえボルト６３と、枠部２０１を当該枠部２０１の前後方向に押圧する下部ストッパボルト６４と、を備えている。そして、この下クランプ２における下部ストッパボルト６４の前後方向への位置を調整することで、枠部２０１の下部２１２の位置調整を行うことができる。
【００５２】
このようにして、上クランプ１と下クランプ２により、枠部２０１の上部２１１と下部２１２を島１０１に取り付けることができる。そのため、島１０１に対して枠部２０１を強固に取り付けることができる。また、設置の際に上クランプ１及び下クランプ２のそれぞれの細かな位置調整を行うことにより、遊技機を島１０１に適切に設置することができる。尚、上クランプ１のみに位置調整機能を設けることで遊技機の傾斜を調整することも可能であるが、下クランプ２にも位置調整機能を設けることでより正確な位置調整を行うことができる。
【００５３】
〔第２実施形態〕
次に、第２実施形態について説明するが、第１実施形態と同等の構成要素については、同一の符号を付して説明を省略し、異なった点を中心に述べる。
【００５４】
本実施形態の上クランプ１Ａは、島１０１の水平材１１２に固定された状態で、遊技機の左右方向についてベルト１６を枠部２０１の上部２１１に巻き付ける位置を調整できる。そこで、本実施形態の上クランプ１Ａについて詳細に説明する。
【００５５】
本実施形態の上クランプ１Ａは、島１０１の水平材１１２に固定される部分（第１島側固定部）として、図９〜図１１に示すように、固定ベース８１（固定部材）と可動ベース８２（可動部材）とを備えている。
【００５６】
固定ベース８１は、図１０に示すように、島１０１の水平材１１２に固定される部材である。この固定ベース８１は、図１１に示すように、長方形の板状に形成され、溝９１と座金９２と開口部９３などを備えている。
【００５７】
溝９１は、固定ベース８１の長手方向に沿って、細長状に形成されている。ここでは、一例として、溝９１は３つ形成されているが、溝９１が形成される数は特に限定されない。また、ここでは一例として、溝９１は固定ベース８１の板厚方向（図９〜図１１の上下方向）について固定ベース８１を貫通して形成されているが、溝９１は固定ベース８１の板厚方向に貫通していなくてもよい。
【００５８】
座金９２は、正方形または長方形の板状に形成されており、１つの溝９１につき２つ設けられている。この座金９２は、溝９１の内部において、溝９１を形成する内壁面９１ａに嵌合して設けられており、溝９１に対して固定ベース８１の長手方向に沿って相対的に移動可能となっている。なお、固定ベース８１の長手方向は、固定ベース８１が島１０１の水平材１１２に固定されたときに遊技機の左右方向となる。そして、座金９２は、固定ベース８１に可動ベース８２を取り付けるために使用する締結具が締結されるネジ穴９２ａを備えている。なお、図１１においては、説明の便宜上、ネジ穴９２ａに締結される締結具を２つのみ示している。
【００５９】
開口部９３は、固定ベース８１の板厚方向について固定ベース８１を貫通する孔であって、固定ベース８１を島１０１の水平材１１２に固定するために使用する締結具が挿入される孔である。ここでは、一例として、開口部９３は６つ形成されているが、開口部９３が形成される数は特に限定されない。なお、図１１においては、説明の便宜上、開口部９３に挿入される締結具を１つのみ示している。
【００６０】
可動ベース８２は、図１１に示すように、第１実施形態のベース１１（図６参照）と同様な形状に形成されている。この可動ベース８２は、その第１ベース鍔部３２に設けられた開口部３２ａと第２ベース鍔部３３に設けられた開口部３３ａに挿入された締結具が固定ベース８１の座金９２のネジ穴９２ａに締結されることにより、固定ベース８１に取りけられている（図９と図１０参照）。
【００６１】
本実施形態では、前記のように、座金９２は、溝９１に対して溝９１に沿って相対的に移動可能である。そのため、締結具により座金９２に締結された可動ベース８２は、溝９１に沿って固定ベース８１に対して相対的に移動可能である。そして、可動ベース８２は、図９や図１０に示すように、スライダ１２とプレート１３とストッパ１４とベルト１６と一体になっている。そのため、可動ベース８２は、スライダ１２とプレート１３とストッパ１４とベルト１６と一体に移動する。
【００６２】
なお、本実施形態では、図９と図１０に示すように、スライダ１２は、可動ベース８２の内側にて可動ベース８２と嵌合している。また、スライダ１２のガイド２３は、遊技機の傾斜調整時において、スライダ１２を可動ベース８２に対して相対的に移動させる際にスライダ１２を案内するとともに、目盛り５７を使ってスライダ１２の移動量を確認するために使用される。さらに、ナットベース２１のＬ字形状部５１は、その底面部５１ａにて、締結具により可動ベース８２の第１ベース鍔部３２に取り付けられている。
【００６３】
以上のような構成の上クランプ１Ａを用いて、枠部２０１を島１０１に取り付ける際には、まず、固定ベース８１を島１０１の水平材１１２に固定する。詳しくは、固定ベース８１の長手方向が遊技機の左右方向となるように、固定ベース８１を島１０１の水平材１１２に固定する。このとき、締結具を固定ベース８１の開口部９３に挿入して島１０１の水平材１１２に締結する。
【００６４】
次に、可動ベース８２（スライダ１２）とストッパ１４との間の離間部に島１０１の水平材１１２と固定ベース８１を挿入して、可動ベース８２を固定ベース８１に取り付ける。このとき、締結具を可動ベース８２の開口部３２ａと開口部３３ａに挿入して固定ベース８１の座金９２のネジ穴９２ａに締結する。
【００６５】
なお、固定ベース８１に可動ベース８２を取り付けるタイミングは特に限定されず、例えば、予め可動ベース８２を取り付けておいた固定ベース８１を島１０１の水平材１１２に固定するとしてもよい。
【００６６】
ここで、本実施形態では、固定ベース８１に取り付けた可動ベース８２を、固定ベース８１に対して遊技機の左右方向に相対的に移動させることができる。そのため、可動ベース８２を固定ベース８１に対して遊技機の左右方向に相対的に移動させることにより、可動ベース８２と一体のベルト１６を遊技機の左右方向に移動させることができる。したがって、ベルト１６を、遊技機の左右方向について、枠部２０１の上部２１１における所望の位置に移動させることができる。
【００６７】
そして、このようにベルト１６を遊技機の左右方向について枠部２０１の上部２１１における所望の位置に移動させた後、ストッパ１４に設けられたストッパゴム４０を枠部２０１の上部２１１の背部２２１に当てて、ベルト１６を枠部２０１に巻き付けてベルト１６の他端部１６ｂをラチェット機構１７に保持させる。次に、ラチェット機構１７を操作して、枠部２０１に巻き付けたベルト１６を締め上げて、枠部２０１を後方側に引き付ける。そして、このようにして、上クランプ１Ａにより島１０１に枠部２０１を取り付ける。
【００６８】
なお、本実施形態では、上クランプ１Ａは、第１実施形態の上クランプ１と同様に、枠部２０１の傾斜を調整する枠部傾斜調整機構を有しており、枠部２０１の前後方向の位置を調整して枠部２０１の傾斜を調整することにより、遊技機の傾斜を調整できる。具体的には、図９と図１０に示す調整ネジ２２を回して可動ベース８２に対して相対的にスライダ１２を前方向に移動させると、スライダ１２と一体のストッパ１４が前方向に移動するので、ストッパ１４が接する枠部２０１はストッパ１４に押されて前方向に移動する。
【００６９】
なお、本実施形態の変形例として、上クランプ１Ａは、枠部２０１の傾斜を調整する枠部傾斜調整機構を有していない例も考えられる。
【００７０】
以上のように、本実施形態では、島１０１の水平材１１２に固定される第１島側固定部として、固定ベース８１と可動ベース８２とを備えている。そして、固定ベース８１は、島１０１の水平材１１２に固定される部材である。また、可動ベース８２は、固定ベース８１に取り付けられ、固定ベース８１に対して遊技機の左右方向に相対的に移動可能な部材である。そして、可動ベース８２は、ベルト１６と一体に移動する。
【００７１】
このようにして本実施形態では、固定ベース８１を島１０１の水平材１１２に固定した状態で、可動ベース８２を固定ベース８１に対して遊技機の左右方向に相対的に移動させることができる。そのため、可動ベース８２と一体に移動するベルト１６を遊技機の左右方向に移動させて、ベルト１６を枠部２０１の上部２１１に巻き付ける位置を調整できる。
【００７２】
そして、このようにして本実施形態の上クランプ１Ａは、ベルト１６を枠部２０１の上部２１１に巻き付ける位置を調整できるので、枠部２０１の上部２１１の形状（遊技機メーカー毎に枠部２０１の形状が異なる。）に関わらず、ベルト１６を枠部２０１の上部２１１における所望の位置で巻き付けることができる。例えば、枠部２０１の上部２１１における左右方向の中央部において、背部２２１が前方に凹んだ形状に形成されている場合がある。この場合、ベルト１６を枠部２０１の上部２１１に巻き付ける位置を調整することにより、背部２２１が前方に凹んで形成される位置を避けてベルト１６を枠部２０１の上部２１１に巻き付けることができる。そして、これにより、ベルト１６を枠部２０１の上部２１１に巻き付けてベルト１６の他端部１６ｂをラチェット機構１７に保持させてラチェット機構１７を操作したときに、枠部２０１に巻き付けたベルト１６を確実に締め上げることができる。
【００７３】
また、枠部２０１の上部２１１においてベルト１６を巻き付ける位置に制約がある場合であっても、ベルト１６を枠部２０１の上部２１１に巻き付ける位置を調整して、ベルト１６を枠部２０１の上部２１１における所望の位置で巻き付けることができる。ここで、枠部２０１の上部２１１においてベルト１６を巻き付ける位置に制約がある場合とは、例えば、枠部２０１の上部２１１に凹凸がありこの凹凸部分ではベルト１６の巻き付けが安定しない場合、又は、枠部２０１の上部２１１に大きな切り欠き部などがありこの切り欠き部ではストッパゴム４０（ストッパ１４の先端部）との当接が困難な場合などが考えられる。
【００７４】
また、島１０１の水平材１１２において固定ベース８１を固定できる位置に制約がある場合であっても、ベルト１６を枠部２０１の上部２１１に巻き付ける位置を調整して、ベルト１６を枠部２０１の上部２１１における所望の位置で巻き付けることができる。ここで、島１０１の水平材１１２において固定ベース８１を固定できる位置に制約がある場合とは、例えば、島１０１の水平材１１２に凹凸がありこの凹凸部分では固定ベース８１の固定が安定しない場合、又は、島１０１の水平材１１２に大きな切り欠き部などがありこの切り欠き部では固定ベース８１の固定が困難な場合などが考えられる。
【００７５】
また、本実施形態の上クランプ１Ａは、島１０１の水平材１１２に固定ベース８１を一旦固定しておけば、ベルト１６を枠部２０１の上部２１１に巻き付ける位置を調整する際に、固定ベース８１を島１０１の水平材１１２から取り外す必要がない。そのため、固定ベース８１を島１０１の水平材１１２から一旦取り外して再度固定する手間を省くことができるとともに、島１０１の水平材１１２において固定ベース８１を固定するための締結具の締結跡の発生を抑制できる。
【００７６】
なお、上記した実施の形態は単なる例示にすぎず、本開示を何ら限定するものではなく、その要旨を逸脱しない範囲内で種々の改良、変形が可能であることはもちろんである。
【００７７】
例えば、遊技機には、パチンコの他に、アレンジボール、雀球又はスロットマシンも含まれるとしてもよい。また、その取付けの際には、島設備に設けられている支柱等にベルト１６を巻きつけ、ベルト１６を締め上げることで固定することが可能である。またその際には、当接部材を必ず使用する必要はなく、プレート１３の一部を加工することで保持部として構成するようにしてもよい。
【００７８】
また、帯状部材保持部には、ラチェット機構１７の他に、クリップなどの留め具も含まれるとしてもよい。また、調整ネジ２２の代わりに、ハンドル部を備えた可撓自在な軸であるフレキシブルシャフトを使用してもよい。
【００７９】
また、ストッパ１４の形状は変更可能であり、取付け対象となる遊技機の種類によって交換可能に構成してもよい。また、取り付ける島１０１の環境によっては、水平材１１２の上下方向の厚さが異なる場合も考えられる。その場合であっても例えば、ストッパ１４についてその本体部３７がストッパ鍔部３８よりも下方向に位置するような形状とすることで、ベース１１とストッパ１４との間の距離を調整可能に構成してもよい。また、水平材１１２の前後方向の厚さ又は形状が異なる場合も考えられる。この場合であっても例えば、ストッパ１４についてその本体部３７の前後方向の長さ又は枠部２０１の背部２２１の形状に合わせてストッパ１４を交換することで、取り付ける島１０１の環境に応じた設置が可能となる。
【符号の説明】
【００８０】
１  上クランプ
１Ａ  上クランプ
２  下クランプ
１１  ベース
１２  スライダ
１３  プレート
１３ｄ  切り欠き部
１４  ストッパ
１５  ピン
１５ａ  一端部
１５ｂ  他端部
１６  ベルト
１６ａ  一端部（長手方向の一端側の部位）
１６ｂ  他端部（長手方向の他端側の部位）
１７  ラチェット機構
２１  ナットベース
２２  調整ネジ
２３  ガイド
３４  ガイド孔
４０  ストッパゴム
４１  スナップリング
４３  プレート取付け部
４４  ハンドル部
４５  軸部
４９  Ｔ字部材
５２  ナット部
５３  ネジ部
５４  操作部
５５  基端部
５６  バネ
５７  目盛り
６１  枠押さえベース
６３  枠押さえボルト
６４  下部ストッパボルト
８１  固定ベース
８２  可動ベース
９１  溝
９１ａ  内壁面
９２  座金
９２ａ  ネジ穴
９３  開口部
１０１  島（遊技機島）
１１１  テーブル
１１２  水平材
１２１  敷きシート
２０１  枠部
２１１  上部
２１２  下部
２２１  背部
２２２  背部
【図１】
2019058635.tif 000003
【図２】
2019058635.tif 000004
【図３】
2019058635.tif 000005
【図４】
2019058635.tif 000006
【図５】
2019058635.tif 000007
【図６】
2019058635.tif 000008
【図７】
2019058635.tif 000009
【図８】
2019058635.tif 000010
【図９】
2019058635.tif 000011
【図１０】
2019058635.tif 000012
【図１１】
2019058635.tif 000013